(57)【要約】      （修正有）【課題】防災受信盤に電流監視装置の機能を一体化し、設備構成及び処理を簡略化すると共に、信号回線の電流値を測定して記憶した測定履歴を表示した場合に、表示内容をみなくとも、電流値異常、回線障害、回線試験中などの情報が含まれていることを簡単、且つ、容易に把握可能とする。【解決手段】防災受信盤１０に一体化された電流監視部５８は、複数の信号回線１２−１、１２−ｎに流れる電流値を測定して、測定電流値、測定電流値が所定の閾値範囲を外れた場合の電流値異常、監視制御部５６から通知された回線障害情報及び回線試験中情報を含む測定履歴を記憶する。サブモニタ装置４６に測定履歴を表示する場合に、電流監視部５８は、各信号回線の測定履歴を、電流異常値、回線障害情報又は回線試験中回線に対応した色分けにより表示し、更に、メインモニタ装置４４に測定履歴を表示する場合に、サブモニタ装置４６と同じ色分けにより履歴情報を表示させる。【選択図】図４
2018045541.tif 000002
【特許請求の範囲】
【請求項１】
防災受信盤からトンネル内に引き出された複数の信号回線毎に火災信号を出力する手動通報装置及び検知器を含む複数の端末機器を接続して監視するトンネル防災システムに於いて、
前記防災受信盤の筐体前面に配置されたメインモニタ装置と、
前記防災受信盤の筐体内に配置されたサブモニタ装置と、
前記防災受信盤に設けられ、前記信号回線により前記火災信号を受信して前記メインモニタ装置の火災警報表示を含む火災警報を出力する監視制御部と、
前記防災受信盤に設けられ、前記複数の信号回線に流れる電流値を測定して、測定電流値、当該測定電流値が所定の閾値範囲を外れた場合の電流値異常、前記監視制御部から通知された所定の回線情報を含む測定履歴を記憶し、前記サブモニタ装置に前記測定履歴を表示する場合に、各信号回線の測定履歴を、前記電流異常値又は前記所定の回線情報に対応した色分けにより表示し、更に、前記メインモニタ装置に前記測定履歴を表示する場合に、前記サブモニタ装置と同じ色分けにより前記履歴情報を表示させる電流監視部と、
が設けられたことを特徴とするトンネル防災システム。
【請求項２】
請求項１記載のトンネル防災システムに於いて、
前記監視制御部は、前記信号回線の障害を検出した場合の障害警報の出力、及び前記信号回線に接続された端末機器の試験動作に伴う試験結果の報知を前記メインモニタ装置の表示を含めて行うと共に、回線障害情報又は回線試験中情報を前記電流監視部に通知し、
前記電流監視部は、前記所定の回線情報として、前記監視制御部から通知された回線障害情報及び回線試験中情報を前記測定履歴に含めて記憶し、前記サブモニタ装置に前記測定履歴を表示する場合に、各信号回線の測定履歴を、前記電流異常値、前記回線障害情報又は前記回線試験中情報に対応した色分けにより表示し、更に、前記メインモニタ装置に前記測定履歴を表示する場合に、前記サブモニタ装置と同じ色分けにより前記履歴情報を表示させることを特徴とするトンネル防災システム。
【請求項３】
請求項１又は２記載のトンネル防災システムに於いて、前記電流監視部は、所定の周期毎に、前記複数の信号回線に流れる電流値を順次測定して、前記測定履歴を記憶させることを特徴とするトンネル防災システム。
【請求項４】
請求項２記載のトンネル防災システムに於いて、前記電流監視部は、前記サブモニタ装置の操作画面による所定の自動測定操作を検出した場合に、前記複数の信号回線に流れる電流値を順次測定して得られた信号回線毎の前記測定電流値、前記測定電流値が所定の閾値範囲を外れた場合の電流値異常を含む測定結果を、前記電流異常値、前記回線障害情報又は前記回線試験中回情報に対応して色分けして前記サブモニタ装置に表示し、前記メインモニタ装置に前記測定結果を表示する場合に、前記サブモニタ装置と同じに色分けして前記メインモニタ装置に表示させることを特徴とするトンネル防災システム。
【請求項５】
請求項２記載のトンネル防災システムに於いて、前記電流監視部は、前記サブモニタ装置の操作画面による信号回線の選択を含む所定の手動測定操作を検出した場合に、前記選択された信号回線に流れる電流値を測定して得られた信号回線の前記測定電流値、前記測定電流値が所定の閾値範囲を外れた場合の電流値異常を含む測定結果を、前記電流異常値、前記回線障害情報又は前記回線試験中情報に対応して色分けして前記サブモニタ装置に表示し、前記メインモニタ装置に前記測定結果を表示する場合に、前記サブモニタ装置と同じに色分けして前記メインモニタ装置に画面表示させることを特徴とするトンネル防災システム。
【請求項６】
請求項２記載のトンネル防災システムに於いて、前記電流監視部は、前記サブモニタ装置の操作画面による所定の異常履歴表示操作を検出した場合に、前記測定履歴から電流値異常が判定された信号回線の異常履歴を抽出し、前記電流異常値、前記回線障害情報又は前記回線試験中情報に対応して色分けした異常履歴を前記サブモニタ装置に表示し、更に、前記メインモニタ装置に前記異常履歴を表示する場合に、前記サブモニタ装置と同じに色分けして前記異常履歴を前記メインモニタ装置に表示させることを特徴とするトンネル防災システム。
【発明の詳細な説明】
【技術分野】
【０００１】
本発明は、トンネル内に設置した通報装置や検知器等の端末機器を防災受信盤に接続してトンネル内の異常を監視するトンネル防災システムに関する。
【背景技術】
【０００２】
従来、自動車専用道路等のトンネルには、トンネル内で発生する火災事故から人身及び車両を守るため、非常用施設が設置されている。
【０００３】
このような非常用施設としては、火災の監視と通報のため火災検知器、手動通報装置、非常電話が設けられ、また火災の消火や延焼防止のために消火栓装置が設けられ、更にトンネル躯体やダクト内を火災から防護するために水噴霧ヘッドから消火用水を散水させる水噴霧などが設置され、これらの非常用施設の端末機器を監視制御する防災受信盤を設けることで、トンネル防災システムを構築している。
【０００４】
防災受信盤と端末機器で構成するトンネル防災システムは、Ｒ型伝送方式とＰ型直送方式に大別される。Ｒ型伝送方式は、伝送回線にアドレスを設定した火災検知器等の端末機器を接続し、伝送制御により端末機器単位に検知と制御を行う個別管理を可能とする。Ｐ型直送方式は、端末機器の種別に応じて所定の区画単位に分け、区画単位に引き出した信号回線に同一区画に属する複数の端末機器を接続し、信号回線単位に検知と制御を行う。
【０００５】
ところで、Ｐ型直送方式のトンネル防災システムにあっては、手動通報装置、消火栓起動装置、ダクト温度検知器等の端末機器は、操作又は検知による信号出力部を無電圧ａ接点スイッチとして構成し、防災受信盤から引き出された信号回線に無電圧ａ接点スイッチ接続している。無電圧ａ接点スイッチは通常監視状態でオフしており、操作や検知動作によりオンして無電圧接点信号を出力する。
【０００６】
具体的には、防災受信盤側から信号回線の一方にプルアップ抵抗を介して電源電圧を印加しており、無電圧ａ接点スイッチがオフした定常監視状態では、信号回線に消費電流は殆ど流れず、防災受信盤から見た信号回線間の電源電圧は略電源電圧に保たれている。無電圧ａ接点スイッチがオンすると信号回線に電流が流れ、防災受信盤から見た信号回線間の電圧は略零ボルトに低下し、防災受信盤は信号回線の消費電流の増加又は信号回線間の電圧低下を検出して端末機器の操作又は検知を示す受信信号を制御部に出力する。
【０００７】
例えば手動通報装置からの火災通報信号であれば、防災受信盤は、火災表示、端末側の応答ランプの点灯制御、手動通報区画表示、消火ポンプ起動信号の出力といった制御動作を行うと共に、遠方監視制御設備、テレビ監視設備、可変式道路情報板設備、トンネル換気設備、照明設備等の外部設備に火災通報信号を送信して所定の対処制御を行わせるようにしている。
【先行技術文献】
【特許文献】
【０００８】
【特許文献１】特開２００２−２４６９６２号公報
【特許文献２】特開平１１−１２８３８１号公報
【発明の概要】
【発明が解決しようとする課題】
【０００９】
このような従来のＰ型直送方式のトンネル防災システムにあっては、端末機器を接続している信号回線（外線ケーブル）の経年劣化等により絶縁低下が進み、端末機器を接続している信号回線に通常監視状態で想定される以上の電流が流れ、防災受信盤は端末機器の操作又は検知動作による信号受信と判断して警報動作を行うと共に、遠方監視制御設備、テレビ監視設備、可変式道路情報板設備、トンネル換気設備、照明設備等の他設備を連動し、トンネルを通行止めにすることが度々生じている。
【００１０】
ところで、防災受信盤で火災信号を受信して火災警報が出力された場合や、信号回線の障害が検出されて障害警報が出力された場合には、その後の調査作業の段階で、火災信号が受信された火災回線や障害が検出された障害回線について、電流監視装置で測定された測定履歴を表示させ、火災回線や障害回線がどのような状態にあったかを調べる場合がある。
【００１１】
電流検出装置は例えば１日１回というように信号回線の電流を定期的に測定して測定履歴として記憶しているが、測定した電流値が所定の閾値範囲を外れた電流値異常が判定される以外に、防災受信盤の監視制御により信号回線の断線等の回線障害や定期点検等による端末機器の動作試験が行われており、測定履歴の中に回線障害や回線試験中といった情報を含めて記憶することが、履歴情報を読み出して火災回線や障害回線がどのような状態にあったかを調べることが有効である。
【００１２】
しかしながら、測定履歴に回線障害や回線試験中といった付帯情報を含めた場合、定周期測定された膨大なデータ量となる測定履歴を画面表示して見分けるには手間と時間がかかる。
【００１３】
また、従来は防災受信盤に対し電流監視装置を別の筐体に設けているため、防災受信盤から火災情報や障害情報等を電流測定装置に送って測定履歴と共に記憶させる伝送機能と処理機能が必要となり、設備構成と処理が複雑になる問題もある。
【００１４】
本発明は、防災受信盤に電流監視装置の機能を一体化して設備構成及び処理を簡略化すると共に、信号回線の電流値を測定して記憶した測定履歴を表示した場合に、表示内容を見なくとも、電流値異常、回線障害、回線試験中などの情報が含まれていることを簡単且つ容易に把握可能とするトンネル防災システムを提供することを目的とする。
【課題を解決するための手段】
【００１５】
（トンネル防災システム）
本発明は、
防災受信盤からトンネル内に引き出された複数の信号回線毎に火災信号を出力する手動通報装置及び検知器を含む複数の端末機器を接続して監視するトンネル防災システムに於いて、
防災受信盤の筐体前面に配置されたメインモニタ装置と、
防災受信盤の筐体内に配置されたサブモニタ装置と、
防災受信盤に設けられ、信号回線により火災信号を受信してメインモニタ装置の火災警報表示を含む火災警報を出力する監視制御部と、
防災受信盤に設けられ、複数の信号回線に流れる電流値を測定して、測定電流値、当該測定電流値が所定の閾値範囲を外れた場合の電流値異常、監視制御部から通知された所定の回線情報を含む測定履歴を記憶し、サブモニタ装置に測定履歴を表示する場合に、各信号回線の測定履歴を、電流異常値又は所定の回線情報に対応した色分けにより表示し、更に、メインモニタ装置に測定履歴を表示する場合に、サブモニタ装置と同じ色分けにより履歴情報を表示させる電流監視部と、
が設けられたことを特徴とする。
【００１６】
（測定履歴に含める回線情報）
監視制御部は、信号回線の障害を検出した場合の障害警報の出力、及び信号回線に接続された端末機器の試験動作に伴う試験結果の報知をメインモニタ装置の表示を含めて行うと共に、回線障害情報又は回線試験中情報を電流監視部に通知し、
電流監視部は、所定の回線情報として、監視制御部から通知された回線障害情報及び回線試験中情報を測定履歴に含めて記憶し、サブモニタ装置に測定履歴を表示する場合に、各信号回線の測定履歴を、電流異常値、回線障害情報又は回線試験中情報に対応した色分けにより表示し、更に、メインモニタ装置に測定履歴を表示する場合に、サブモニタ装置と同じ色分けにより履歴情報を表示させる。
【００１７】
（電流値の定周期測定）
電流監視部は、所定の周期毎に、複数の信号回線に流れる電流値を順次測定して、測定履歴を記憶させる。
【００１８】
（電流値の自動測定）
電流監視部は、サブモニタ装置の操作画面による所定の自動測定操作を検出した場合に、複数の信号回線に流れる電流値を順次測定して得られた信号回線毎の測定電流値、測定電流値が所定の閾値範囲を外れた場合の電流値異常を含む測定結果を、電流異常値、回線障害情報又は回線試験中情報に対応して色分けしてサブモニタ装置に表示し、メインモニタ装置に測定結果を表示する場合に、サブモニタ装置と同じに色分けして表示させる。
【００１９】
（電流値の手動測定）
電流監視部は、サブモニタ装置の操作画面による信号回線の選択を含む所定の手動測定操作を検出した場合に、選択された信号回線に流れる電流値を測定して得られた信号回線の測定電流値、測定電流値が所定の閾値範囲を外れた場合の電流値異常を含む測定結果を、電流異常値、回線障害情報又は回線試験中情報に対応して色分けしてサブモニタ装置に表示し、メインモニタ装置に測定結果を表示する場合に、サブモニタ装置と同じに色分けをして表示させる。
【００２０】
（異常履歴の表示）
電流監視部は、サブモニタ装置の操作画面による所定の異常履歴表示操作を検出した場合に、測定履歴から電流値異常が判定された信号回線の異常履歴を抽出し、電流異常値、回線障害情報又は回線試験中情報に対応して色分けしてサブモニタ装置に表示し、更に、メインモニタ装置に異常履歴を表示する場合に、サブモニタ装置と同じに色分けして異常履歴をメインモニタ装置に表示させる。
【発明の効果】
【００２１】
（基本的な効果）
本発明は、防災受信盤からトンネル内に引き出された複数の信号回線毎に火災信号を出力する手動通報装置及び検知器を含む複数の端末機器を接続して監視するトンネル防災システムに於いて、防災受信盤の筐体前面に配置されたメインモニタ装置と、防災受信盤の筐体内に配置されたサブモニタ装置と、防災受信盤に設けられ、信号回線により火災信号を受信してメインモニタ装置の火災警報表示を含む火災警報を出力する監視制御部と、防災受信盤に設けられ、複数の信号回線に流れる電流値を測定して、測定電流値、当該測定電流値が所定の閾値範囲を外れた場合の電流値異常、監視制御部から通知された所定の回線情報を含む測定履歴を記憶し、サブモニタ装置に測定履歴を表示する場合に、各信号回線の測定履歴を、電流異常値又は所定の回線情報に対応した色分けにより表示し、更に、メインモニタ装置に測定履歴を表示する場合に、サブモニタ装置と同じ色分けにより履歴情報を表示させる電流監視部とが設けられたため、測定された信号回線の測定履歴を表示するサブモニタ装置に表示する場合、信号回線毎の測定履歴が、電流値異常又は所定の回線情報に分けた対応した色分けにより画面表示され、表示された測定履歴の内容を見なくとも、電流値異常が判定されている測定履歴か、所定の回線状態にある場合の測定履歴かが、色分けによって一目で分かり、火災が受信された信号回線や障害が検出された信号回線がどのような状態にあったかの判断を適切に行うことを可能とする。
【００２２】
また、測定履歴を必要に応じてメインモニタ装置に表示する場合、サブモニタ装置と同じ色分け表示が行われ、メインモニタ装置においても、電流値異常が判定されているか、どのような回線状態にあるかが、色分けによって一目で分かる。
【００２３】
また、防災受信盤と一体に電流監視部が設けられたため、電流監視装置を別筐体に設けていた場合に比べ、設備構成及び処理が簡単となり、設置スペースも低減できる。
【００２４】
（測定履歴に含める回線情報）
また、監視制御部は、信号回線の障害を検出した場合の障害警報の出力、及び信号回線に接続された端末機器の試験動作に伴う試験結果の報知をメインモニタ装置の表示を含めて行うと共に、回線障害情報又は回線試験中情報を電流監視部に通知し、電流監視部は、所定の回線情報として、監視制御部から通知された回線障害情報及び回線試験中情報を測定履歴に含めて記憶し、サブモニタ装置に測定履歴を表示する場合に、各信号回線の測定履歴を、電流異常値、回線障害情報又は回線試験中情報に対応した色分けにより表示し、更に、メインモニタ装置に測定履歴を表示する場合に、サブモニタ装置と同じ色分けにより履歴情報を表示させるようにしたため、測定された信号回線の測定履歴を表示するサブモニタ装置に表示する場合、信号回線毎の測定履歴が、電流値異常、障害回線情報又は回線試験中情報に対応した色分けにより画面表示され、表示された測定履歴の内容を見なくとも、電流値異常が判定されている測定履歴か、回線障害が発生している測定履歴か、回線試験中の測定履歴かが、色分けによって一目で分かり、火災が受信された信号回線や障害が検出された信号回線がどのような状態にあったかの判断を適切に行うことを可能とする。
【００２５】
また、測定履歴を必要に応じてメインモニタ装置に表示する場合、サブモニタ装置と同じ色分け表示が行われ、メインモニタ装置においても、電流値異常が判定されているか、どのような回線状態にあるかが、色分けによって一目で分かる。
【００２６】
（電流値の定周期測定による効果）
また、電流監視部は、所定の周期毎に、複数の信号回線に流れる電流値を順次測定して、測定履歴を記憶させるようにしたため、例えば１日１回といった定期的な電流値の測定履歴が得られ、必要に応じてサブモニタ装置に画面表示させることで、火災が受信された信号回線や障害が検出された信号回線の絶縁劣化の進み具合等の判断が可能となる。
【００２７】
（電流値の自動測定による効果）
また、電流監視部は、サブモニタ装置の操作画面による所定の自動測定操作を検出した場合に、複数の信号回線に流れる電流値を順次測定して得られた信号回線毎の測定電流値、測定電流値が所定の閾値範囲を外れた場合の電流値異常を含む測定結果を、電流異常値、回線障害情報又は回線試験中回情報に対応して色分けしてサブモニタ装置に表示し、メインモニタ装置に測定結果を表示する場合に、サブモニタ装置と同じに色分けした表示させるようにしたため、サブモニタ装置に自動測定により表示された測定結果は、表示された測定結果の内容を見なくとも、電流値異常が判定されている回線の測定結果か、回線障害が発生している回線の測定結果か、回線試験中の測定結果かが、色分けによって一目で分かり、火災が受信された信号回線や障害が検出された信号回線がどのような状態にあったか判断を適切に行うことを可能とする。
【００２８】
また、測定履歴を必要に応じてメインモニタ装置に表示する場合、サブモニタ装置と同じ色分け表示が行われ、メインモニタ装置においても、自動測定された測定結果が、電流値異常が判定されている回線の測定結果か、回線障害が発生している回線の測定結果か、試験中の回線の測定結果かが、色分けによって一目で分かる。
【００２９】
（電流値の手動測定による効果）
また、電流監視部は、サブモニタ装置の操作画面による信号回線の選択を含む所定の手動測定操作を検出した場合に、選択された信号回線に流れる電流値を測定して得られた信号回線の測定電流値、測定電流値が所定の閾値範囲を外れた場合の電流値異常を含む測定結果を、電流異常値、回線障害情報又は回線試験中情報に対応して色分けしてサブモニタ装置に表示し、メインモニタ装置に測定結果を表示する場合に、サブモニタ装置と同じに色分けをして表示させるようにしたため、サブモニタ装置に手動測定により表示された測定結果は、表示された測定結果の内容を見なくとも、電流値異常が判定されている回線の測定結果か、回線障害が発生している回線の測定結果か、回線試験中の測定結果かが、色分けによって一目で分かり、火災が受信された信号回線や障害が検出された信号回線がどのような状態にあったか判断を適切に行うことを可能とする。
【００３０】
また、測定履歴を必要に応じてメインモニタ装置に表示する場合、サブモニタ装置と同じ色分け表示が行われ、メインモニタ装置においても、手動測定された測定結果が、電流値異常が判定されている回線の測定結果か、回線障害が発生している回線の測定結果か、試験中の回線の測定結果かが、色分けによって一目で分かる。
【００３１】
（異常履歴の表示による効果）
また、電流監視部は、サブモニタ装置の操作画面による所定の異常履歴表示操作を検出した場合に、測定履歴から電流値異常が判定された信号回線の異常履歴を抽出し、電流異常値、回線障害情報又は回線試験中情報に対応して色分けしてサブモニタ装置に表示し、更に、メインモニタ装置に異常履歴を表示する場合に、サブモニタ装置と同じに色分をした異常履歴をメインモニタ装置に表示させるようにしたため、サブモニタ装置に表示された異常履歴は、表示された測定結果の内容を見なくとも、電流値異常が判定されている回線の異常履歴か、回線障害が発生している回線の異常履歴か、回線試験中の異常履歴かが、色分けによって一目で分かり、火災が受信された信号回線や障害が検出された信号回線がどのような状態にあったか判断を適切に行うことを可能とする。
【００３２】
また、測定履歴を必要に応じてメインモニタ装置に表示する場合、サブモニタ装置と同じ色分け表示が行われ、メインモニタ装置においても、測定履歴から抽出して表示された異常履歴が、電流値異常が判定されている回線の異常履歴か、回線障害が発生している回線の異常履歴か、試験中の回線の異常履歴かが、色分けによって一目で分かる。
【図面の簡単な説明】
【００３３】
【図１】トンネル防災システムの概要を示した説明図
【図２】防災受信盤の外観を示した説明図
【図３】防災受信盤のパネル扉を開いてサブモニタ装置を見る状態を示した説明図
【図４】トンネル防災システムの機能構成の概略を示したブロック図
【図５】自動測定に使用されるサブモニタ装置の自動測定画面とメインモニタ装置の自動測定画面を示した説明図
【図６】手動測定に使用されるサブモニタ装置の手動測定画面とメインモニタ装置の手動測定画面を示した説明図
【図７】サブモニタ装置に表示された測定記録画面とメインモニタ装置に表示された測定記録画面を示した説明図
【図８】サブモニタ装置に２ページ目が表示された測定記録画面とメインモニタ装置に２ページ目が表示された測定記録画面を示した説明図
【図９】サブモニタ装置に表示された異常履歴画面とメインモニタ装置に表示された異常履歴画面を示した説明図
【発明を実施するための形態】
【００３４】
［トンネル防災システムの概要］
図１はトンネル防災システムの概要を示した説明図である。図１に示すように、自動車専用道路のトンネルとして、上り線トンネル１ａと下り線トンネル１ｂが構築され、上り線トンネル１ａと下り線トンネル１ｂは避難連絡坑２でつながっている。
【００３５】
上り線トンネル１ａと下り線トンネル１ｂの内部には、トンネル長手方向の監視員通路の壁面に沿って例えば５０メートル間隔で消火栓装置１８が設置されている。
【００３６】
消火栓装置１８は消火栓扉内にノズル付きホースを収納しており、火災時には消火栓扉を開いてノズル付きホースを引き出し、消火栓弁開閉レバーを開操作すると消火用水が放水され、また、消火栓弁開閉検出スイッチ１４がオンして消火ポンプを起動させる。
【００３７】
また、消火栓装置１８には通報装置扉を設けており、通報装置扉には手動通報装置（発信機）１６が設けられている。このように消火栓装置１８には、消火栓弁開閉検出スイッチ１４、及び手動通報装置１６が端末機器として設けられており、それぞれ接点手段として機能する無電圧ａ接点スイッチのオンにより、消火栓検出信号又はポンプ起動信号及び火災通報信号が出力される。
【００３８】
なお、消火栓装置１８には消防隊が使用するポンプ起動スイッチが設けられているが、消火栓弁開閉検出スイッチ１４と同じポンプ起動信号を出力するシステム的には同一のスイッチであることから、以下、消火栓弁開閉検出スイッチ（ポンプ起動スイッチを含む）１４として説明する。また、手動通報装置１６は、消火栓装置１８以外に、非常電話ボックス内にも設置しているが、以下の説明では、消火栓装置１８に設けた手動通報装置を代表として説明する。
【００３９】
トンネル非常設備として、消火栓装置１８以外に、火災検知器、自動弁装置、ダクト内温度検知器等が設けられているが、図示を省略している。
【００４０】
火災検知器はトンネル長手方向の壁面に沿って例えば２５メートル又は５０メートル間隔で設置され、左右２５メートル又は５０メートルとなる両側に監視エリアを設定し、火災による炎を検出して火災発報する。
【００４１】
自動弁装置は水噴霧設備を構成しており、作動用電動弁の遠隔開制御により主弁を開駆動し、トンネル壁面の上部の長手方向に設置した複数の水噴霧ヘッドから消火用水を放水してトンネル躯体を火災から防護する。
【００４２】
ダクト内温度検知器は、トンネル長手方向の監視員通路の内部の配管やケーブルを敷設したダクトに配置されており、ケーブル火災等によるダクト内の温度上昇を検出し、接点手段として機能する無電圧ａ接点スイッチのオンにより温度検知信号を出力する。
【００４３】
上り線トンネル１ａ及び下り線トンネル１ｂの監視センター等には防災受信盤１０が設置されている。防災受信盤１０には、上り線トンネル１ａ及び下り線トンネル１ｂの防災監視機能に加え、端末機器を接続したＰ型の信号回線の電流を監視する電流監視機能が設けられている。
【００４４】
防災受信盤１０からは上り線トンネル１ａと下り線トンネル１ｂの内に、トンネル長手方向に分割した所定の区画毎にＰ型の信号回線１２−１〜１２−ｎが引き出され、区画単位に設けられた複数の消火栓弁開閉検出スイッチ１４及び手動通報装置１６が接続されている。
【００４５】
なお、ダクト内に設置されたダクト内温度検出器に対しても、同様にＰ型の信号回線が区画単位に引き出され、区画単位に設けられた複数のダクト内温度検知器が接続されているが、図示を省略している。また、信号回線１２−１〜１２−ｎは、区別する必要がない場合は、信号回線１２という場合がある。
【００４６】
Ｐ型の信号回線１２は信号線とコモン線で構成され、消火栓装置１８の消火栓弁開閉検出スイッチ１４、手動通報装置１６及びダクト内温度検知器の各々に設けた無電圧ａ接点スイッチを接続した場合は、それぞれの操作又は検知動作により無電圧ａ接点スイッチをオンして回線電流を流すことで、ポンプ起動信号、火災通報信号、温度検知信号を防災受信盤１０に送るようにしている。
【００４７】
またトンネルの非常用施設としては、消火栓装置１８、火災検知器及び自動弁装置以外に、消火ポンプ設備２０、ダクト用の冷却ポンプ設備２２、ＩＧ子局設備２４、換気設備２８、警報表示板設備３０、ラジオ再放送設備３２、テレビ監視設備３４及び照明設備３６等が設けられており、ＩＧ子局設備２４をデータ伝送回線で接続する点を除き、それ以外の設備はＰ型信号回線により防災受信盤１０に個別に接続されている。ここで、ＩＧ子局設備２４は、防災受信盤１０と外部に設けた上位設備である遠方監視制御設備２６とをネットワーク２５を経由して結ぶ通信設備である。
【００４８】
換気設備２８は、トンネル内の天井側に設置しているジェットファンの運転による高い吹き出し風速によってトンネル内の空気にエネルギーを与えて、トンネル長手方向に空気の流れを起こす設備である。
【００４９】
また、警報表示板設備３０は、トンネル内の利用者に対して、トンネル内の異常を、電光表示板に表示して知らせる設備である。ラジオ再放送設備３２は、トンネル内で運転者等が道路管理者からの情報を受信できるようにするための設備である。テレビ監視設備３４は、火災の規模や位置を確認したり、水噴霧設備の作動、避難誘導を行う場合のトンネル内の状況を把握するための設備である。照明設備３６はトンネル内の照明機器を駆動して管理する設備である。
【００５０】
［防災受信盤のモニタ装置］
図２は防災受信盤の外観を示した説明図であり、図２（Ａ）に正面を示し、図２（Ｂ）に側面を示す。図３は防災受信盤のパネル扉を開いてサブモニタ装置を見る状態を示した説明図である。
【００５１】
図２に示すように、防災受信盤１０は、前後に開放された箱形の筐体６０の前面に、ハンドル操作により開閉自在なパネル扉６２が設けられ、また、筐体６０の裏面にも、バンドル操作により開閉自在な裏扉６３が設けられている。
【００５２】
パネル扉６２の表側にはタッチパネル付きの液晶ディスプレイを用いたメインモニタ装置４４が設置され、その下に、操作表示部６４が配置されている。メインモニタ装置４４の画面には、トンネル防災監視に関する所定の情報が表示される。
【００５３】
筐体６０の内部には、タッチパネル付きの液晶ディスプレイを用いたサブモニタ装置４６が配置されている。液晶ディスプレイ装置４６の画面には、信号回線の電流監視による電流値の測定結果や判定結果が表示される。
【００５４】
図３に示すように、防災受信盤１０のパネル扉６２を開くと、筐体６０内に支持枠６８に配置されているサブモニタ装置４６が現れ、サブモニタ装置４６の画面に信号回線の電流値測定結果や判定結果を表示させることができる。
【００５５】
［防災受信盤の構成］
図４はトンネル防災システムの機能構成の概略を示したブロック図である。図４に示すように、防災受信盤１０は制御部４０を備え、制御部４０は例えばプログラムの実行により実現される機能であり、ハードウェアとしてはＣＰＵ、メモリ、ＡＤ変換ポートを含む各種の入出力ポート等を備えたコンピュータ回路等を使用する。
【００５６】
制御部４０に対しては、トンネル内に設置した各種の端末機器をＰ型の信号回線１２により接続したＰ型伝送部４２が設けられ、また、制御部４０に対しメインモニタ装置４４、サブモニタ装置４６、スピーカ、ブザー、警報表示灯等を備えた警報部４８、各種表示灯を備えた表示部５０、各種スイッチを備えた操作部５２を設け、更に、ＩＧ子局設備２４、換気設備２８、警報表示板設備３０、ラジオ再放送設備３２、テレビ監視設備３４、照明設備３６、消火ポンプ設備２０及び冷却ポンプ設備２２をＰ型の信号回線により個別に接続したＰ型伝送部５４が設けられている。
【００５７】
制御部４０にはプログラムの実行により実現される機能として、監視制御部５６と電流監視部５８の機能が設けられている。
【００５８】
（監視制御部）
監視制御部５６はトンネル内に設置した消火栓装置１８に設けられた消火栓弁開閉検出スイッチ１４と手動通報装置１６、火災検知器、ダクト内温度検知器、及び自動弁装置等の端末機器からの検知信号や操作信号に基づき、所定の監視制御を行う。
【００５９】
また、監視制御部５６は、例えば消火栓装置１８に設けた手動通報装置１６の操作による火災通報信号（火災信号）を受信した場合、警報部４８により主音響鳴動を行うと共に表示部５０に火災代表表示を行い、更に、メインモニタ装置４４の画面に火災表示と手動通報区画表示を行い、また消火栓装置１８に応答信号を送信して応答ランプを点灯する。
【００６０】
また、監視制御部５６は、消火栓装置１８に設けられた消火栓弁開閉レバーの開操作により消火栓弁開閉検出スイッチ１４のオンで出力された消火栓起動信号を受信した場合、消火ポンプ設備２０にポンプ起動信号を送信して起動させる制御を行う。
【００６１】
更に、監視制御部５６は他設備に対する制御として、ＩＧ子局設備２４を介して遠方監視制御設備２６に火災通報信号を送信して警報させる制御、テレビ監視設備３４により火災通報区画を表示する制御、警報表示板設備３０により手動通報区画の火災通報を表示する制御、換気設備２８により手動通報区画を換気する制御、照明設備３６により手動通報区画を照明する制御等を行う。
【００６２】
また、監視制御部５６は、ダクト内温度が上昇してダクト内温度検知器からダクト内温度検知信号を受信した場合、冷却ポンプ設備２２にポンプ起動信号を出力し、ダクト内に設置したヘッドから散水してダクト内を冷却する制御を行う。
【００６３】
また、監視制御部５６は、信号回線１２の断線障害を監視しており、断線障害を検出すると、警報部４８により障害音響鳴動を行うと共に表示部５０に障害代表表示を行い、メインモニタ装置４４の画面に障害表示と障害地区表示を行い、更に、障害内容と回線番号を含む回線障害情報を電流監視部５６に通知する制御を行う。
【００６４】
監視制御部５６による信号回線１２の断線障害の監視は、信号回線１２の終端に終端抵抗を接続して断線監視電流を流しており、断線監視電流が断たれた場合に断線障害を検出する。
【００６５】
また、監視制御部５６は、定期点検等により、信号回線１２に接続された端末機器の動作試験を行った場合、動作試験の結果をメインモニタ装置４４に画面表示すると共に、試験中を示す情報と回線番号を含む回線試験中情報を電流監視部５８に通知する制御を行う。
【００６６】
（電流監視部）
電流監視部５８は、消火栓弁開閉検出スイッチ１４及び手動通報装置１６を含む無電圧ａ接点スイッチを備えた端末機器を接続した信号回線１２の電流値を測定し、測定した電流値が所定の上限値と下限値で決まる閾値範囲を外れた場合に電流値異常を判定し、測定結果を測定履歴として着脱自在なメモリカードを用いたメモリに記憶する制御を行う。電流監視部５８による信号回線１２の電流値の測定は、例えば、信号回線１２に挿入した電流検出抵抗の検出電圧をＡＤ変換して読み込み、ノイズの影響を除去するため、所定時間測定した電流値の平均値を求める。
【００６７】
ここで、電流監視部５８による電流値測定には、定周期測定、自動測定、手動測定がある。
【００６８】
電流監視部５８の定周期測定は、所定周期毎、例えば１日１回の周期で全ての信号回線１２の電流値を順次測定し、測定した電流値が所定の閾値範囲を外れた場合に電流値異常を判定し、更に、監視制御部５６から通知された回線障害情報及び回線試験中情報を含めた測定履歴を生成してメモリに記憶させる制御を行う。
【００６９】
また、電流監視部５８は、サブモニタ装置４６に測定履歴を表示する場合に、各信号回線の測定履歴を、電流異常値、回線障害情報又は回線試験中情報に対応した色分けにより表示し、更に、メインモニタ装置４４に測定履歴を表示する場合にも、サブモニタ装置４６と同じ色分けにより履歴情報を表示させる制御を行う。
【００７０】
電流監視部５８による電流値の自動測定は、サブモニタ装置４６による自動測定操作を検出した場合に、測定対象に選択したトンネルに設置された端末機器の信号回線に流れる電流値を順次測定し、測定された信号回線毎の測定電流値、測定電流値が所定の閾値範囲を外れた場合の電流値異常を含む測定結果を、電流異常値、回線障害情報又は回線試験中回情報に対応して色分けしてサブモニタ装置４６に表示し、メインモニタ装置４４に自動測定結果を表示する場合にも、サブモニタ装置４６と同じに色分けした測定結果をメインモニタ装置４４に表示させる制御を行う。
【００７１】
電流監視部５８による電流値の手動測定は、サブモニタ装置４６による信号回線の選択を含む手動測定操作を検出した場合に、選択された信号回線に流れる電流値を測定し、測定した電流値が所定の閾値範囲を外れた場合に電流値異常を判定し、この手動測定による測定結果を、電流異常値、回線障害情報又は回線試験中情報に対応して色分けしてサブモニタ装置４６に表示し、メインモニタ装置に手動測定結果を表示する場合にも、サブモニタ装置４６と同じに色分けをしてメインモニタ装置４４に表示させる制御を行う。
【００７２】
また、電流監視部５８は、サブモニタ装置４６による異常履歴表示操作を検出した場合、メモリに記憶されている電流値の測定履歴から電流値異常が判定されている測定履歴を抽出し、電流異常値、回線障害情報又は回線試験中情報に対応して色分けした異常履歴をサブモニタ装置４６に表示し、更に、メインモニタ装置４４に異常履歴を表示する場合にも、サブモニタ装置４６と同じに色分けをした異常履歴をメインモニタ装置４４に表示させる制御を行う。
【００７３】
［電流値の定周期測定］
図５は自動測定に使用されるサブモニタ装置の自動測定画面とメインモニタ装置の自動測定画面を示した説明図である。図５（Ａ）に示すサブモニタ画面７０は、画面下側に画面展開ボタンとして、自動測定ボタン７４、手動測定ボタン７６、測定記録ボタン７８及び異常履歴ボタン８０が配置されており、ハッチングで示すように測定記録ボタン７４を操作すると、自動測定画面８２に切り替わる。
【００７４】
サブモニタ画面７０の右上部には、定周期測定として入ボタン９２と切ボタン９４が配置されており、初期設定として入ボタン９２がオン状態に設定されており、これによる電流監視部５８は、所定周期毎、例えば１日１回の周期で全ての信号回線１２の電流値を順次測定し、測定した電流値が所定の閾値範囲を外れた場合に電流値異常を判定し、測定結果を測定履歴としてメモリに記憶させる定周期測定を行っている。
【００７５】
図５（Ａ）の自動測定画面８２に切り替えられたサブモニタ画面７０を使用して電流値の自動測定を行う場合には、まず、右上の定周期測定に配置された切ボタン９４を操作して定周期測定を解除させる。続いて、種別選択部８４の中の例えば「上り線手動通報」を試験対象に選択し、自動測定に配置されている開始ボタン９６を操作する。なお、画面上で操作されたボタンをハッチングで示している。
【００７６】
このサブモニタ画面７０を使用した電流値の自動測定操作は電流監視部５８で検出され、選択された上り線トンネルに配置された手動通報装置に対する全信号回線の電流値が順次測定され、測定詳細情報９０に、測定値が表示される。また、信号回線の自動測定毎に、右下の測定値枠１００に測定値が表示され、また、測定時間枠１０２に測定時間が表示される。また、自動測定中には、画面左上の測定中表示８６の背景色が変化し、自動測定が行われていることを知らせる。
【００７７】
自動測定画面８２の画面中央には自動測定詳細情報９０として、回線番号、日時、上限値／下限値、測定値及び判定の各項目に分けて、信号回線毎に情報が一覧表示される。
【００７８】
ここで、回線番号００４にあっては、測定値が１．２５ｍＡであり、上限値１．００ｍＡを超えていることから電流値異常と判定され、回線番号００４の行は、電流値異常の判定に対応して網目で示すように、その背景色が例えば黄色に表示される。併せて、電流異常値発生表示８８の枠内も網目で示すように黄色の背景色に設定される。
【００７９】
また、図５（Ａ）の自動測定が行われた場合、回線番号００７について、監視制御部５６から回線試験中情報が通知されていたとすると、回線番号００７の行は、砂地で示すように、その背景色が例えば緑色に表示される。
【００８０】
更に、図５（Ａ）の自動測定が行われた場合、回線番号００８について、監視制御部５６から回線障害情報が通知されていたとすると、回線番号００８の行は、平行ハッチングで示すように、その背景色が例えば橙色に表示される。
【００８１】
このような自動測定詳細情報９０に対する色分け表示により、測定結果の内容をみることなく、黄色の電流異常値が判定された測定結果か、緑色の試験中の回線の測定結果か、あるいは、橙色の回線障害を起こした回線の測定結果かが一目でわかる。
【００８２】
電流値の自動測定は、停止スイッチ９８を操作することで終了させることができる。なお、自動測定の終了に伴い自動測定の測定結果を履歴情報としてメモリに記憶させるようにしても良い。
【００８３】
更に、電流値の自動測定が終了した場合には、定周期測定の入スイッチ９２を操作することで、電流値の定周期測定に復帰させることができる。
【００８４】
図５（Ｂ）は電流値の自動測定の結果を表示させたメインモニタ画面７２であり、必要に応じて、サブモニタ画面７０に加え、メインモニタ画面７２にも自動測定画面８２を表示させることができる。
【００８５】
図５（Ｂ）に示すメインモニタ画面７２の自動測定画面８２は、画面操作を必要としないことから、図５（Ａ）に示したサブモニタ画面７０の自動測定画面８２から操作ボタンを除いた表示としており、例えば、選択された「上り手動通報」を示した種別選択部８４、測定中表示８８、電流値異常発生表示８８及び自動測定詳細情報９０が表示される。
【００８６】
また、自動測定詳細情報９０については、図５（Ａ）のサブモニタ画面７０と同様、回線番号００４の行は、電流値異常の判定に対応して網目で示すように、その背景色が黄色に表示され、電流異常値発生表示８８の枠内も網目で示すように黄色の背景色に表示される。また、回線番号００７は回線試験中情報の通知に基づき、その背景色が例えば緑色に表示され、更に、回線番号００８は回線障害情報に基づき、その背景色が例えば橙色に表示されている。
【００８７】
このためメインモニタ画面７２の自動測定画面８２も電流値異常、回線試験中、回線障害に対応して色分け表示され、信号回線の自動測定結果が、黄色の電流異常値が判定された測定結果か、緑色の試験中の回線の測定結果か、あるいは、橙色の回線障害を起こした回線の測定結果かが一目でわかる。
【００８８】
［電流値の手動測定］
図６は手動測定に使用されるサブモニタ装置の手動測定画面とメインモニタ装置の手動測定画面を示した説明図である。
【００８９】
図６（Ａ）に示すように、サブモニタ画面７０の下側に配置された手動測定ボタン７６を操作すると、図示の手動測定画面１０４に切り替えられる。
【００９０】
手動測定画面１０４に切り替えられたサブモニタ画面７０を使用して電流値の手動測定を行う場合には、まず、右上の定周期測定に配置された切ボタン９２を操作して定周期測定を解除させる。続いて、種別選択部８６の中の例えば「上り線手動通報」を試験対象に選択し、更に、手動測定に配置されている選択ボタン１０８，１１０の操作により測定対象とする信号回線を選択する。
【００９１】
ここで、信号回線の選択は、測定詳細情報１０６の回線番号の背景色を例えば青色することで現在の選択回線を示しており、選択ボタン１０８，１１０を操作すると回線番号の背景色青が上又は下に移動し、任意の回線番号が選択できる。回線番号が選択できたら、手動測定に配置されている開始ボタン１１２を操作する。
【００９２】
このようなサブモニタ画面７０を使用した電流値の手動測定操作は電流監視部５８で検出され、上り線トンネルに配置された手動通報装置に対する回線番号００４の信号回線の電流値が測定され、手動測定詳細情報１０６に、測定値が表示される。また、手動測定が開始されると、測定中表示８６が変化し、手動測定が行われていることを知らせる。
【００９３】
ここで、手動測定を行った回線番号００４の測定値が１．２５ｍＡであり、上限値１．００ｍＡを超えていることから電流値異常と判定され、回線番号００４の行は電流値異常の判定に対応して網目で示すように、その背景色が例えば黄色に表示される。併せて、電流異常値発生表示８８の枠内も網目で示すように黄色の背景色に表示される。
【００９４】
なお、回線番号００７は手動測定に選択されていないが、監視制御部５６からの回線試験中情報の通知に基づき、砂地で示すように、その背景色が例えば緑色に表示され、また、回線番号００８は手動測定に選択されていないが、監視制御部５６からの回線障害情報の通知に基づき、平行ハッチングで示すように、その背景色が例えば橙色に表示されている。このため、例えば、回線番号００８が回線障害を起こしていることが一目出わかり、回線番号００８を選択して手動測定を行って状況を調べるといった対応が可能となる。
【００９５】
電流値の手動測定が終了したい場合には、手動測定の停止スイッチ１１４を操作し、続いて定周期測定の入スイッチ９２を操作することで、電流値の定周期測定に復帰させることができる。なお、手動測定の終了に伴い手動測定の測定結果を履歴情報としてメモリに記憶させるようにしても良い。
【００９６】
図６（Ｂ）のメインモニタ画面７２にも、必要に応じて手動測定画面１０４を表示させることができる。メインモニタ画面７２の手動測定画面１０４は、画面操作を必要としないことから、図６（Ａ）に示したサブモニタ画面７０の自動測定画面８２から操作ボタンを除いた表示としており、例えば、選択された「上り手動通報」を示した種別選択部８４、測定中表示８６、電流値異常発生表示８８及び手動測定詳細情報１０６が表示される。
【００９７】
また、自動測定詳細情報１０６については、図６（Ａ）のサブモニタ画面７０と同様、手動測定の対象として選択した回線番号００４の行は、電流値異常の判定に対応して網目で示すように、その背景色が黄色に表示され、電流異常値発生表示８８の枠内も網目で示すように黄色の背景色に表示される。また、回線番号００７は回線試験中情報の通知に基づき、その背景色が例えば緑色に表示され、更に、回線番号００８は回線障害情報に基づき、その背景色が例えば橙色に表示されている。
【００９８】
このためメインモニタ画面７２の手動測定画面１０４も電流値異常、回線試験中、回線障害に対応して色分け表示され、信号回線の手動測定結果が、電流異常値が判定された測定結果か、試験中の回線の測定結果か、あるいは、回線障害を起こした回線の測定結果かが一目でわかる。
【００９９】
［測定履歴表示］
図７は電流値の測定履歴を表示したサブモニタ装置の測定記録画面とメインモニタ装置の測定記録画面を示した説明図である。
【０１００】
図７（Ａ）に示すように、サブモニタ画面７０の下側に配置された測定記録ボタン７８を操作すると、図示の測定記録画面１１４に切り替えられ、測定履歴詳細情報１１６にメモリから読み出された測定履歴が表示される。
【０１０１】
測定記録画面１１６の右側には、ページ表示１１８、ページ切替ボタン１２０，１２２、ファイル保存ボタン１２４及びメモリ取出ボタン１２６が配置される。ページ切替ボタン１２０，１２２を操作することで測定履歴詳細情報１１６のページ切替えが可能であり、ここでは１ページ目を表示している。ファイル保存ボタン１２４は測定結果のメモリ格納を指示する。メモリ取出ボタン１２６は防災受信盤１０から電流値測定情報を記憶したメモリを取り出す場合に操作する。
【０１０２】
測定記録画面１１４の画面中央に表示された測定履歴詳細情報１１６としては、Ｎｏで示す回線番号、日時、項目、上限値／下限値、測定値及び判定の各項目に分けて、信号回線毎に情報が一覧表示される。
【０１０３】
ここで、回線番号００４にあっては、測定値が１．２５ｍＡであり、上限値１．００ｍＡを超えていることから「ＮＧ」の表示により電流値異常と判定されている。それ以外の回線番号の測定値は上限値と下限値の範囲に収まっていることから「ＯＫ」の表示により正常と判定されている。また、回線番号００４の行は、電流値異常の判定に対応して網目で示すように、その背景色が黄色に表示されている。
【０１０４】
図７（Ｂ）のメインモニタ画面７２にも、必要に応じて測定記録画面１１４を表示させることができる。メインモニタ画面７２の測定記録画面１１４は、画面操作を必要としないことから、図７（Ａ）に示したサブモニタ画面７０の自動測定画面１１４から操作ボタンを除いた表示としており、例えば、測定履歴詳細情報１１６、ページ表示１１８、ページ切替ボタン１２０，１２２が配置される。
【０１０５】
また、測定履歴詳細情報１１６については、図７（Ａ）のサブモニタ画面７０と同様、回線番号００４の行は、電流値異常の判定に対応して網目で示すように、その背景色が黄色に表示される。このためメインモニタ画面７２の測定記録画面１１４も電流値異常に対応して黄色に色分け表示され、電流値異常が起きた信号回線であることが一目でわかる。
【０１０６】
図８はサブモニタ装置に２ページ目が表示された測定記録画面とメインモニタ装置に２ページ目が表示された測定記録画面を示した説明図である。
【０１０７】
図８（Ａ）のサブモニタ画面７０はページ切替ボタン１２２の操作で測定履歴詳細情報１１６に２ページ目が表示されている。
【０１０８】
測定履歴詳細情報１１６の中の、回線番号００７は回線試験中情報の通知に基づき、その背景色が例えば緑色に設定され、更に、回線番号００８は回線障害情報に基づき、その背景色が例えば橙色に設定されている。
【０１０９】
図８（Ｂ）に示すメインモニタ画面７２の測定履歴詳細情報１１６については、図８（Ａ）のサブモニタ画面７０と同様、回線番号００７は回線試験中情報の通知に基づき、背景色が例えば緑色に設定され、更に、回線番号００８は回線障害情報に基づき、背景色が例えば橙色に設定されている。
【０１１０】
このためメインモニタ画面７２の測定記録画面１１４も回線試験中に対応して緑色に表示され、回線障害に対応して橙色に色分け表示され、試験中の信号回線や回線障害を起こした信号回線であることが一目でわかる。
【０１１１】
［異常履歴表示］
図９はサブモニタ装置の異常履歴画面とメインモニタ装置の異常履歴画面を示した説明図である。図９（Ａ）に示すように、サブモニタ画面７０の下側に配置されている異常履歴ボタン８０を操作すると、図示の異常履歴画面１３０に切り替えられる。
【０１１２】
電流監視部５８は、異常履歴画面１３０への切替操作を検出すると、メモリに記憶されている電流値測定履歴の中から電流値異常が判定されている信号回線の測定履歴を抽出し、異常履歴詳細情報１３２を表示させる。
【０１１３】
異常履歴詳細情報１３２は、Ｎｏで示す回線番号、上限値、下限値、測定値、及び判定に分けて一覧形式で表示しており、例えば、回線番号００４の行には、トンネル名と端末機器の種別として「上り線  手動通報  上限値異常」が表示され、上限値を超えた異常を示す「ＮＧ」が表示されている。また、回線番号００８の行には、トンネル名と端末機器の種別として「上り線  手動通報  下限値異常」が表示され、下限値を下回った異常を示す「ＮＧ」が表示されている。
【０１１４】
ここで、回線番号００４の行は、電流値異常の判定に対応して網目で示すように、背景色が黄色に表示される。また、回線番号００８の行は回線障害情報に対応して平行ハッチングで示すように、背景色が例えば橙色に表示されている。
【０１１５】
図９（Ｂ）に示すメインモニタ画面７２の異常履歴詳細情報１３２については、図９（Ａ）のサブモニタ画面７０と同様、回線番号００４の行は、電流値異常の判定に対応して背景色が黄色に設定され、また、回線番号００８の行は回線障害情報に対応して背景色が例えば橙色に設定されている。
【０１１６】
［本発明の変形例］
（色分け表示）
上記の実施形態は、測定履歴又は測定結果につき、電流値異常、回線障害、回線試験中に対応して色分け表示しているが、これに限定されず、更に、火災回線を加えた色分け表示としても良い。
【０１１７】
また、同じ信号回線について、電流値異常、回線障害、回線試験中の内の複数が発生した場合には、所定の優先順位に従った色分け表示、色分けの切り替え表示を行うようにする。
【０１１８】
また、上記の実施形態は、メインモニタ装置に測定結果を表示する場合に、サブモニタ装置と同じに色分けして表示させているが、これに限定されず、サブモニタ装置に使用している色と識別可能である近い色相の色によりメインモニタ装置に測定結果を表示させても良い。
【０１１９】
（メインモニタ装置）
上記の実施形態は、サブモニタ装置の表示画面に電流値測定及び履歴表示に必要な操作ボタンを設け、メインモニタ装置の表示画面には表示に必要な操作ボタンしか設けていないが、メインモニタ装置の表示画面にもサブモニタ装置の表示画面と同じ操作ボタンを設け、回線電流の定周期測定、自動測定、手動測定、測定記録、異常履歴等の操作をメインモニタ装置から行えるようにし，サブモニタ装置の表示画面をメインモニタ装置の表示画面に反映もしくはフィードバックするようにしても良い。
【０１２０】
（その他）
また、本発明は、その目的と利点を損なわない適宜の変形を含み、更に上記の実施形態に示した数値による限定は受けない。
【符号の説明】
【０１２１】
１ａ：上り線トンネル
１ｂ：下り線トンネル
１０：防災受信盤
１２，１２−１〜１２−ｎ：信号回線
１４：消火栓弁開閉検出スイッチ
１６：手動通報装置
１８：消火栓装置
２０：消火ポンプ設備
２２：冷却ポンプ設備
２４：ＩＧ子局設備
２６：遠方監視制御設備
２８：換気設備
３０：警報表示板設備
３２：ラジオ再放送設備
３４：テレビ監視設備
３６：照明設備
４０：制御部
４２，５４：Ｐ型伝送部
４４：メインモニタ装置
４６：サブモニタ装置
４８：警報部
５０：表示部
５２：操作部
５６：監視制御部
５８：電流監視部
６０：筐体
６２：パネル扉
７０：サブモニタ画面
７２：メインモニタ画面
８２：自動測定画面
１０４：手動測定画面
１１４：測定記録画面
１３０：異常履歴画面
【図１】
2018045541.tif 000003
【図２】
2018045541.tif 000004
【図３】
2018045541.tif 000005
【図４】
2018045541.tif 000006
【図５】
2018045541.tif 000007
【図６】
2018045541.tif 000008
【図７】
2018045541.tif 000009
【図８】
2018045541.tif 000010
【図９】
2018045541.tif 000011